(57)【要約】【課題】  ２枚の液晶表示パネルを２枚の導光板で照射する場合に、部品点数を削減するとともに、コストを低減することができる液晶表示装置、それを用いた情報処理装置及び携帯電話機を提供すること。【解決手段】  本発明にかかる液晶表示装置は、光源５８と、メイン側液晶表示パネル５１と、メイン側導光板５２と、サブ側液晶表示パネル５３と、サブ側導光板５４と、メイン側導光板５２の側面に対向する位置とサブ側導光板５４の側面に対向する位置とに、光源５８を相対的に移動することができる光源移動手段と、を備えるものである。【選択図】  図３
2005156932.tif 000002
【特許請求の範囲】
【請求項１】
光源と、
画像表示する第１の液晶表示パネルと、
前記光源から前記第１の液晶表示パネルへ光を導く第１の導光板と、
画像表示する第２の液晶表示パネルと、
前記光源から前記第２の液晶表示パネルへ光を導く第２の導光板と、
前記第１の導光板の側面に対向する位置と前記第２の導光板の側面に対向する位置とに、前記光源を相対的に移動することができる光源移動手段と、
を備えた液晶表示装置。
【請求項２】
前記第１の導光板は、前記第１の液晶表示パネルの背面側に配置され、
前記第２の導光板は、前記第２の液晶表示パネルの背面側に配置され、
前記第１の導光板の背面と前記第２の導光板の背面とが向かい合うように、前記第１の液晶表示パネル、前記第２の液晶表示パネル、前記第１の導光板及び前記第２の導光板は積層配置されている、
請求項１に記載の液晶表示装置。
【請求項３】
第１の本体部と、前記第１の本体部と折り畳み自在に連結された第２の本体部とを有し、
前記第１の本体部は、請求項２に記載の液晶表示装置を備え、
前記第１の液晶表示パネルは、前記第１の本体部を閉じた場合に前記第２の本体部と対向する対向面側に配置され、
前記第２の液晶表示パネルは、前記対向面の背面側に配置されている、
情報処理装置。
【請求項４】
前記光源移動手段は、
前記第１の本体部を開いた場合に、前記第１の導光板の側面と対向する位置に前記光源を相対的に移動し、
前記第１の本体部を閉じた場合に、前記第２の導光板の側面と対向する位置に前記光源を相対的に移動する、
請求項３に記載の情報処理装置。
【請求項５】
前記光源移動手段は、
前記光源を支持する支持部材と、
前記第１の本体部の開閉に応じて移動することによって前記支持部材を移動する可動部材と、
を有する請求項４に記載の情報処理装置。
【請求項６】
前記光源移動手段は、前記可動部材の一端を支持する弾性部材と、前記対向面側への前記可動部材の移動を制御する阻止部材と、をさらに有し、
前記可動部材は、前記第１の本体部が開く場合に前記対向面から突出する突出部を有し、
前記第１の本体部が開く場合に、前記可動部材は、前記阻止部材に阻止される位置まで、前記弾性部材により前記対向面側に移動され、
前記第１の本体部が閉じる場合に、前記可動部材は、前記突出部が前記第２の本体部により押圧されることによって、前記対向面の背面側に移動する、
請求項５に記載の情報処理装置。
【請求項７】
第１の本体部と、前記第１の本体部と折り畳み自在に連結された第２の本体部とを有する携帯電話機であって、
前記第１の本体部は、光源と、前記第１の本体部を閉じた場合に前記第２の本体部と対向する対向面側に配置され、画像表示する第１の液晶表示パネルと、前記第１の液晶表示パネルの背面側に配置され、前記光源から前記第１の液晶表示パネルへ光を導く第１の導光板と、前記対向面の背面側に配置され、画像表示する第２の液晶表示パネルと、前記第２の液晶表示パネルの背面側に配置され、前記光源から前記第２の液晶表示パネルへ光を導く第２の導光板と、前記第１の導光板の側面に対向する位置と前記第２の導光板の側面に対向する位置とに、前記光源を相対的に移動することができる光源移動手段と、を備え、
前記第１の液晶表示パネル、前記第２の液晶表示パネル、前記第１の導光板及び前記第２の導光板は、前記第１の導光板の背面と前記第２の導光板の背面とが向かい合うように積層配置され、
前記光源移動手段は、前記第１の本体部を開いた場合に、前記第１の導光板の側面と対向する位置に前記光源を相対的に移動し、前記第１の本体部を閉じた場合に、前記第２の導光板の側面と対向する位置に前記光源を相対的に移動する、
携帯電話機。
【発明の詳細な説明】
【技術分野】
【０００１】
本発明は、液晶表示装置、それを用いた情報処理装置及び携帯電話機に関し、特に、複数の表示部を有する液晶表示装置、それを用いた情報処理装置及び携帯電話機に関する。
【背景技術】
【０００２】
近年、情報処理装置の一つである携帯電話機は、通話機能のみならず、電子メール等のインターネット通信機能や、デジタルカメラ機能、ゲーム等のアプリケーションソフトの実行機能等、様々な機能を備えている。そして、より多くの情報を表示するために、表示部を大型化しつつ、携帯性を保つことができる折り畳み式の携帯電話機が普及している。
【０００３】
折り畳み式の携帯電話機は、表示部等を有する上部本体と、キーボタン等を有する下部本体を備え、上部本体と下部本体が折り畳み可能に連結されている。また、折り畳み式の携帯電話機には、上部本体を開いた状態において、その表面に画像等を表示するメイン側表示部と、上部本体を閉じた状態において、その裏面に画像等を表示するサブ側表示部の２つの表示部を上部本体に備えたものが知られている。
【０００４】
これら２つの表示部は、上部本体の内部にそれぞれ液晶表示パネルを有しており、表示部が透過型の液晶表示装置であれば、さらに導光板等を有している。導光板は、光源の発する光を、面状の光として液晶表示パネルへ照射し、液晶表示パネルにおいて画像等の表示が行われる。また、２枚の液晶表示パネルに対し、１枚の導光板により２枚の液晶表示パネルを照射する方法（例えば、特許文献１参照）と、２枚の導光板によりそれぞれの液晶表示パネルを照射する方法（例えば、特許文献２参照）が知られている。
【０００５】
従来、１枚の導光板により２枚の液晶表示パネルを照射する場合、導光板の両面を発光させるため、液晶表示パネルの輝度が不十分であるという問題がある。また、２枚の導光板により２枚の液晶表示パネルを照射する場合、導光板のそれぞれに光源を備える必要があるため、輝度は明るいが、部品点数が増えコスト的に高くなるという問題がある。
【特許文献１】特開２００３−１８８９５９号公報
【特許文献２】特開２００１−１８６２２７号公報
【発明の開示】
【発明が解決しようとする課題】
【０００６】
このように、従来の折り畳み式携帯電話機等の情報処理装置では、２枚の液晶表示パネルを２枚の導光板で照射する場合、部品点数が増え、コストが高くなるという問題点があった。
【０００７】
本発明は、このような問題点を解決するためになされたもので、２枚の液晶表示パネルを２枚の導光板で照射する場合に、部品点数を削減するとともに、コストを低減することができる液晶表示装置、それを用いた情報処理装置及び携帯電話機を提供することを目的とする。
【課題を解決するための手段】
【０００８】
本発明にかかる液晶表示装置は、光源と、画像表示する第１の液晶表示パネルと、前記光源から前記第１の液晶表示パネルへ光を導く第１の導光板と、画像表示する第２の液晶表示パネルと、前記光源から前記第２の液晶表示パネルへ光を導く第２の導光板と、前記第１の導光板の側面に対向する位置と前記第２の導光板の側面に対向する位置とに、前記光源を相対的に移動することができる光源移動手段と、を備えるものである。これにより、部品点数を削減するとともに、コストを低減することができる。
【０００９】
上述の液晶表示装置において、前記第１の導光板は、前記第１の液晶表示パネルの背面側に配置され、前記第２の導光板は、前記第２の液晶表示パネルの背面側に配置され、前記第１の導光板の背面と前記第２の導光板の背面とが向かい合うように、前記第１の液晶表示パネル、前記第２の液晶表示パネル、前記第１の導光板及び前記第２の導光板は積層配置されていてもよい。これにより、２つの面において、液晶表示装置を表示することができる。
【００１０】
本発明にかかる情報処理装置は、第１の本体部と、前記第１の本体部と折り畳み自在に連結された第２の本体部とを有し、前記第１の本体部は、請求項２に記載の液晶表示装置を備え、前記第１の液晶表示パネルは、前記第１の本体部を閉じた場合に前記第２の本体部と対向する対向面側に配置され、前記第２の液晶表示パネルは、前記対向面の背面側に配置されているものである。これにより、情報処理装置の部品点数を削減するとともに、コストを低減することができる。
【００１１】
上述の情報処理装置において、前記光源移動手段は、前記第１の本体部を開いた場合に、前記第１の導光板の側面と対向する位置に前記光源を相対的に移動し、前記第１の本体部を閉じた場合に、前記第２の導光板の側面と対向する位置に前記光源を相対的に移動するものであってもよい。これにより、前記第１の本体部の開閉に応じて、表示する液晶表示装置を適切に切替えることができる。
【００１２】
上述の情報処理装置において、前記光源移動手段は、前記光源を支持する支持部材と、前記第１の本体部の開閉に応じて移動することによって前記支持部材を移動する可動部材と、を有するものであってもよい。これにより、簡素な構成で、表示する液晶表示装置を切替えることができる。
【００１３】
上述の情報処理装置において、前記光源移動手段は、前記可動部材の一端を支持する弾性部材と、前記対向面側への前記可動部材の移動を制御する阻止部材と、をさらに有し、前記可動部材は、前記第１の本体部が開く場合に前記対向面から突出する突出部を有し、前記第１の本体部が開く場合に、前記可動部材は、前記阻止部材に阻止される位置まで、前記弾性部材により前記対向面側に移動され、前記第１の本体部が閉じる場合に、前記可動部材は、前記突出部が前記第２の本体部により押圧されることによって、前記対向面の背面側に移動するものであってもよい。これにより、前記第１の本体部の開閉に応じて、表示する液晶表示装置をより確実に切替えることができる。
【００１４】
本発明にかかる携帯電話機は、第１の本体部と、前記第１の本体部と折り畳み自在に連結された第２の本体部とを有する携帯電話機であって、前記第１の本体部は、光源と、前記第１の本体部を閉じた場合に前記第２の本体部と対向する対向面側に配置され、画像表示する第１の液晶表示パネルと、前記第１の液晶表示パネルの背面側に配置され、前記光源から前記第１の液晶表示パネルへ光を導く第１の導光板と、前記対向面の背面側に配置され、画像表示する第２の液晶表示パネルと、前記第２の液晶表示パネルの背面側に配置され、前記光源から前記第２の液晶表示パネルへ光を導く第２の導光板と、前記第１の導光板の側面に対向する位置と前記第２の導光板の側面に対向する位置とに、前記光源を相対的に移動することができる光源移動手段と、を備え、前記第１の液晶表示パネル、前記第２の液晶表示パネル、前記第１の導光板及び前記第２の導光板は、前記第１の導光板の背面と前記第２の導光板の背面とが向かい合うように積層配置され、前記光源移動手段は、前記第１の本体部を開いた場合に、前記第１の導光板の側面と対向する位置に前記光源を相対的に移動し、前記第１の本体部を閉じた場合に、前記第２の導光板の側面と対向する位置に前記光源を相対的に移動するものである。これにより、携帯電話機の部品点数を削減するとともに、コストを低減することができる。
【発明の効果】
【００１５】
本発明によれば、２枚の液晶表示パネルを２枚の導光板で照射する場合に、部品点数を削減するとともに、コストを低減することができる液晶表示装置、それを用いた情報処理装置及び携帯電話機を提供することができる。
【発明を実施するための最良の形態】
【００１６】
発明の実施の形態１．
まず、図１及び図２を用いて、本発明の実施の形態１にかかる携帯電話機の構成について説明する。図１は、本発明の実施の形態１にかかる携帯電話機の上部本体を開いた状態の概略斜視図を示している。また、図２は、本発明の実施の形態１にかかる携帯電話機の上部本体を閉じた状態の概略斜視図を示している。
【００１７】
本実施形態にかかる携帯電話機１は、図１及び図２に示されるように、下部本体２と、上部本体３とから構成されており、下部本体２と上部本体３は、ヒンジ４を介して、回動自在に連結されている。
【００１８】
下部本体２には、図１に示されるように、操作キーとしてのキーボタン２１及びマイク２２が設けられており、また、無線部、制御部、記憶部、電源部等を内蔵している。
【００１９】
上部本体３には、図１に示されるように、その表面にメイン側表示部３１、スピーカ３３及び可動ピン３４が設けられている。このメイン側表示部３１は、大型の表示画面であり、多くの情報や画像等を一画面に表示することができる。
【００２０】
また、上部本体３には、図２に示されるように、その裏面にサブ側表示部３２が設けられている。このサブ側表示部３２は、小型の表示画面であり、簡単な情報、例えば、電話を着信したときの相手先の電話番号などを表示することができる。さらに、サブ側表示部３２は、メイン側表示部３１と同様に大型の表示画面としてもよい。尚、上部本体３を閉じた場合に、上部本体３と下部本体２が対向する側の面を表面（もしくは対向面）といい、表面の反対側の面を裏面（もしくは背面）という。
【００２１】
可動ピン３４は、図１に示されるように、メイン側表示部３１の下方に設けられたピンである。この可動ピン３４により、メイン側表示部３１あるいはサブ側表示部３２のいずれを表示するか制御する。例えば、この可動ピン３４は、上部本体３を開いている場合、上部本体３の表面から突出し、この状態では、メイン側表示部３１が表示され、サブ側表示部３２は表示されない。また、上部本体３を閉じている場合、この突出した部分が下部本体２の表面に押圧されて、可動ピン３４が上部本体３の内部へ押し込まれ、この状態では、サブ側表示部３２が表示され、メイン側表示部３１は表示されない。可動ピン３４の構造や動作については、後述する。
【００２２】
また、可動ピン３４は、メイン側表示部３１の下方に限らず、上方、右方あるいは左方でもよい。可動ピン３４は、１つのピンに限らず、その他任意の数のピンでもよい。可動ピン３４の突出部分の形状は、ピンの形状に限らず、任意の形状としてもよい。例えば、ボタン形状とすれば、ボタンを押下することにより、表示する表示部を切替えることができる。
【００２３】
例えば、携帯電話機１では、利用者が未使用時に上部本体３を閉じておき、サブ側表示部３２に、待ち受け画面や時計、着信相手の情報を表示することができる。また、携帯電話機１では、利用者が通話等で使用するときに上部本体３を開き、メイン側表示部３１に、アドレス帳や着信履歴等、より多くの情報を大きな文字で表示することができる。さらに、携帯電話機１では、上部本体３の開閉の状態に応じて、どちらか一方の表示部しか表示しないため、消費電力を抑えることができる。
【００２４】
次に、図３及び図４を用いて、本発明の実施の形態１にかかる携帯電話機の上部本体の内部構造について説明する。図３は、本発明の実施の形態１にかかる携帯電話機の上部本体を開いた状態における、図２のＡ−Ａ線概略断面図を示している。また、図４は、本発明にかかる携帯電話機の上部本体を閉じた状態における、図２のＡ−Ａ線概略断面図を示している。
【００２５】
上部本体３の内部には、図３及び図４に示されるように、上部本体３の表面側に、メイン側表示部３１となるメイン側液晶表示パネル５１及びメイン側導光板５２と、上部本体３の裏面側に、サブ側表示部３２となるサブ側液晶表示パネル５３及びサブ側導光板５４を備えている。メイン側導光板５２は、メイン側液晶表示パネル５１の背面側（画像を表示する面と反対側の面）に配置され、サブ側導光板５４は、サブ側液晶表示パネル５３の背面側に配置されており、メイン側導光板５２とサブ側導光板５４の間には、両面で光を反射することができる反射シート５５が配置されている。尚、メイン側液晶表示パネル５１、メイン側導光板５２、サブ側液晶表示パネル５３、サブ側導光板５４及び反射シート５５は積層配置されているが、それぞれの部材の間には、その他の部材が積層されていてもよい。
【００２６】
さらに、上部本体３の内部には、図３及び図４に示されるように、メイン側表示部３１及びサブ側表示部３２の下方に、上部本体３の厚さ方向に可動ピン３４が設けられており、可動ピン３４の一端は、上部本体３の裏面の内側に設けられたバネ５９により支持されている。また、可動ピン３４の一端は、上部本体３の表面に設けられた穴から突出可能であり、一端部近傍の上部本体３の表面の内側にストッパー５６を有している。さらに、可動ピン３４の中央部には、光源５８を支持する支持部材である可動板５７を有し、可動板５７の先端には光源５８が配置されている。
【００２７】
本実施形態では、光源５８を移動する手段として、可動ピン３４、ストッパー５６、可動板５７及びバネ５９が設けられている。可動ピン３４は、突出した部分からバネ５９に支持される部分まで１つの部材でもよいし、複数の部材を組み合わせてもよい。バネ５９は、バネに限らず、ゴム等の弾性体でもよい。可動板５７には、例えば、光源５８を発光させるための駆動回路が配置されており、下部本体２の電源部等から電源を供給し、光源５８の発光が行われる。
【００２８】
上部本体３を開いた場合、図３に示されるように、可動ピン３４は、バネ５９の力によって、上部本体３の表面側へ押し上げられ、ストッパー５６が上部本体３の表面の内側と接触するまで移動する。このとき、可動板５７及び光源５８も可動ピン３４と共に移動し、光源５８が、メイン側導光板５２の側面と対向する位置となる。ここでは、バネ５９とストッパー５６により、可動ピン３４、可動板５７及び光源５８の位置が固定されている。これにより、光源５８の発する光を、メイン側導光板５２へ、安定して照射することができる。尚、光源５８の発する光を効率よくメイン側導光板５２へ照射するために、光源５８とメイン側導光板５２は、より近い位置であることが好ましい。
【００２９】
上部本体３を閉じた場合、図４に示されるように、可動ピン３４は、下部本体２の表面によって、上部本体３の裏面側へ押下され、下部本体２の表面と上部本体３の表面が密着するまで移動する。このとき、可動板５７及び光源５８も可動ピン３４と共に移動し、光源５８が、サブ側導光板５４と対向する位置となる。ここでは、下部本体２の表面とバネ５９により、可動ピン３４、可動板５７及び光源５８の位置が固定されている。これにより、光源５８の発する光を、サブ側導光板５４へ、安定して照射することができる。尚、光源５８の発する光を効率よくサブ側導光板５４へ照射するために、光源５８とサブ側導光板５４は、より近い位置であることが好ましい。
【００３０】
以下に、メイン側表示部３１及びサブ側表示部３２の構造と動作原理について説明する。メイン側液晶表示パネル５１及びサブ側液晶表示パネル５３は、カラーあるいは白黒表示可能な液晶表示パネルである。メイン側液晶表示パネル５１及びサブ側液晶表示パネル５３は、例えば、アクティブマトリックス型の液晶表示パネルであるが、これに限らず、スイッチング素子を有していない単純マトリックス型などでもよい。この他、液晶表示パネルのタイプとして、ＴＮ（Twisted Nematic）タイプの液晶表示パネル、ＳＴＮ（Super Twisted Nematic）タイプの液晶表示パネル、画素電極と共通電極が同一基板上に形成されたＩＰＳ（In Plane Switching）タイプの液晶表示パネルなどが知られている。本発明は、これらのような様々なタイプの液晶表示パネルに適用可能である。
【００３１】
例えば、メイン側液晶表示パネル５１及びサブ側液晶表示パネル５３が、カラー表示可能なアクティブマトリックス型の液晶表示パネルの場合、ＴＦＴ（Thin Film Transistor）などのスイッチ素子がアレイ上に形成されたアレイ基板と、アレイ基板に対向して配置される対向基板を有しており、アレイ基板と対向基板の間には、液晶が封入されている。また、対向基板上にカラー・フィルタ層が形成され、アレイ基板上の表示領域内には、複数の信号線とゲート線がマトリックス状に配設されている。さらに、アレイ基板と対向基板の外側にそれぞれ偏光板を有している。例えば、ＴＦＴ等を駆動する駆動用ドライバとも接続されている。
【００３２】
メイン側導光板５２及びサブ側導光板５４は、光源５８から入射される光を面状光として、メイン側液晶表示パネル５１あるいはサブ側液晶表示パネル５３へ照射する。メイン側導光板５２及びサブ側導光板５４は、反射シート５５や光源５８等とともに、メイン側液晶表示パネル５１あるいはサブ側液晶表示パネル５３のバックライトを構成する要素である。また、メイン側導光板５２及びサブ側導光板５４は、メイン側液晶表示パネル５１あるいはサブ側液晶表示パネル５３との間に、プリズムシートや拡散板を備え、光の輝度を上げ、均一に照射するようにしてもよい。
【００３３】
光源５８は、小型化が可能な光源であり、例えば、点光源であるＬＥＤである。光源５８は、小型化できれば、これに限らず、冷陰極管、蛍光ランプ等でもよい。また、光源５８は、光を照射する導光板に応じて、任意の数のＬＥＤとしてもよい。例えば、光源５８は、メイン側液晶表示パネル５１及びサブ側液晶表示パネル５３でカラー表示可能とするために、Ｒ（赤）、Ｇ（緑）、Ｂ（青）の３色を同時に発光することができる。
【００３４】
例えば、図３のように、上部本体３を開いた状態において、光源５８の発する光は、メイン側導光板５２に入射され、メイン側導光板５２内や反射シート５５によって、反射を繰り返しながらメイン側導光板５２内を進行し、メイン側導光板５２の上面からメイン側液晶表示パネル５１へ出射される。これによって、光源５８からの点状光を面状光としてメイン側液晶表示パネル５１に照射することができる。メイン側液晶表示パネル５１は、例えば、駆動用ドライバから電気信号を入力されると、入力に合わせて液晶の分子の方向が変化し、メイン側導光板５２から照射された光がアレイ基板、液晶及び対向基板を介して透過あるいは遮断されることにより、メイン側表示部３１に画像等が表示される。上部本体３を閉じた状態においても、同様に、光源５８の発する光が、サブ側導光板５４により照射され、サブ側液晶表示パネル５３により光が透過あるいは遮断され、サブ側表示部３２に画像等が表示される。
【００３５】
このような構成により、光源を移動させることで、導光板１枚分の光源のみでいずれか一方の表示部を表示するため、必要な部品点数を減らすとともに、コストダウンを図ることができる。さらに、消費電力の低減や軽量化等を図ることもできる。
【００３６】
その他の発明の実施の形態．
本発明の携帯電話機は、上記の構造に限定するものではなく、様々な実施形態を有するものである。次に、図５を用いて、その他の本発明の実施の形態にかかる携帯電話機の上部本体の内部に用いられる、導光板について説明する。導光板以外の構成は、上述の携帯電話機１と同じである。
【００３７】
図５（ａ−１）はメイン側導光板５２の上面図、図５（ａ−２）は図５（ａ−１）の断面図、図５（ｂ−１）はサブ側導光板５４の上面図、図５（ｂ−２）は図５（ｂ−１）の断面図、図５（ｃ−１）はメイン側導光板５２とサブ側導光板５４を重ねた状態を示す図、図５（ｃ−２）は図５（ｃ−１）の断面図である。
【００３８】
メイン側導光板５２は、図５（ａ−１）（ａ−２）に示されるように、一端を凸形状の凸部とし、この凸部が傾斜している。
【００３９】
サブ側導光板５４は、図５（ｂ−１）（ｂ−２）に示されるように、メイン側導光板５２と同様に、一端を凸部とし、この凸部が、メイン側導光板５２とは反対の方向に傾斜している。
【００４０】
メイン側導光板５２とサブ側導光板５４は、図５（ｃ−１）（ｃ−２）に示されるように、凸部が噛み合うように重ねて配置される。そして、凸部に光源５８を配置し、メイン側導光板５２あるいはサブ側導光板５４に光が入射される。
【００４１】
例えば、図３及び図４に示した構成に、光源５８を横方向（図の矢印方向）に移動する機構を備え、上部本体３を開いた状態では、メイン側導光板５２の凸部に光源５８を配置して、メイン側表示部３１から表示し、上部本体３を閉じた状態では、光源５８が横方向に移動し、サブ側導光板５４の凸部に光源５８を配置して、サブ側表示部３２から表示する。
【００４２】
尚、上述の例では、光源を機械的に移動させる構成について説明したが、これに限らず、光源を電動により移動してもよい。例えば、小型のモーターとカムを組み合わせて、光源を移動させてもよい。
【００４３】
上述の例では、全ての光源を移動させる構成について説明したが、これに限らず、一部の光源のみを移動させてもよい。例えば、サブ側導光板に必要な分の光源のみ移動させ、移動しない光源によりメイン側表示部を表示してもよい。
【００４４】
上述の例では、上部本体の表面と裏面にそれぞれ１つの表示部を設けたが、これに限らず、１つの面に２つの表示部を設けたり、その他、任意の数の表示部を設けてもよい。
【００４５】
上述の例では、折り畳み式の携帯電話機について説明したが、これに限らず、折り畳み式以外の携帯電話機でもよい。さらに、携帯電話機に限らず、液晶表示装置でもよいし、液晶表示装置を備えたその他の情報処理装置、例えば、携帯情報端末、ゲーム機、パーソナルコンピュータ等でもよい。
【図面の簡単な説明】
【００４６】
【図１】本発明にかかる携帯電話機の上部本体を開いた状態の概略斜視図である。
【図２】本発明にかかる携帯電話機の上部本体を閉じた状態の概略斜視図である。
【図３】本発明にかかる携帯電話機の上部本体を開いた状態の概略断面図である。
【図４】本発明にかかる携帯電話機の上部本体を閉じた状態の概略断面図である。
【図５】本発明にかかる導光板の概略構成図である。
【符号の説明】
【００４７】
１  携帯電話機  ２  下部本体  ３上部本体  ４  ヒンジ
２１  キーボタン  ２２  マイク  ３１  メイン側表示部
３２  サブ側表示部  ３３  スピーカ  ３４  可動ピン
５１  メイン側液晶表示パネル  ５２  メイン側導光板
５３  サブ側液晶表示パネル  ５４  サブ側導光板
５５  反射シート  ５６  ストッパー
５７  可動板  ５８  光源  ５９  バネ
【図１】
2005156932.tif 000003
【図２】
2005156932.tif 000004
【図３】
2005156932.tif 000005
【図４】
2005156932.tif 000006
【図５】
2005156932.tif 000007